(57)【特許請求の範囲】
【請求項１】
内容物が収容される容器本体の口部に装着されるとともに、前記内容物を振り出すための振り出し口が形成されたキャップ本体と、
前記振り出し口を開閉させる開閉蓋と、が備えられ、
前記キャップ本体の頂壁部において、前半部分に前記振り出し口が形成されるとともに、後半部分に前壁部、底壁部および左右一対の側壁部により画成され後方に向けて開放された凹欠き部が形成され、
この凹欠き部の両側端部に、前記前壁部と、前記側壁部と、前記底壁部に立設され、これらの前記前壁部および前記側壁部に対向する対向壁部と、により画成された軸受凹部が配設され、
前記開閉蓋において前記凹欠き部を覆う後半部分の両側端部に、前記軸受凹部内に嵌入される軸部が設けられることにより、前記開閉蓋が、前記キャップ本体に対して前記軸部の回転軸線回りに上下方向に回動自在に配設された振り出しキャップであって、
前記キャップ本体の前壁部に、前方に向けて窪む係止凹部が形成され、
前記開閉蓋の後半部分に、下方に向けて突出し、前記係止凹部内に配置された被係止部を有する係止突部が形成され、
前記被係止部は、前記軸部の回転軸線に対して前方および上方の双方向に離間していることを特徴とする振り出しキャップ。
【請求項２】
前記凹欠き部の底壁部の後端部には、上方に向けて突出する下突部が形成され、
前記開閉蓋の後半部分の後端部には、下方に向けて突出する上突部が形成されていることを特徴とする請求項１に記載の振り出しキャップ。
【請求項３】
この振り出しキャップの上下方向に沿う縦断面視において、前記回転軸線から、前記前壁部における前記係止凹部の開口周縁部のうちの上端部までの距離が、前記回転軸線から、前記開閉蓋の係止突部のうち、前記係止凹部内に位置し、かつ前記回転軸線と最も離れた箇所までの距離よりも長いことを特徴とする請求項１または２に記載の振り出しキャップ。
【発明の詳細な説明】
【技術分野】
【０００１】
本発明は、振り出しキャップに関する。
【背景技術】
【０００２】
この種の振り出しキャップとして、例えば下記特許文献１に示されるように、内容物が収容される容器本体の口部に装着されるとともに、内容物を振り出すための振り出し口が形成されたキャップ本体と、振り出し口を開閉させる開閉蓋と、が備えられ、キャップ本体の頂壁部において、前半部分に振り出し口が形成されるとともに、後半部分に前壁部、底壁部および左右一対の側壁部により画成され後方に向けて開放された凹欠き部が形成され、この凹欠き部の両側端部に、前壁部と、側壁部と、底壁部に立設され、これらの前壁部および側壁部に対向する対向壁部と、により画成された軸受凹部が配設され、開閉蓋において凹欠き部を覆う後半部分の両側端部に、軸受凹部内に嵌入される軸部が設けられた構成が知られている。
この振り出しキャップにおいては、開閉蓋が、キャップ本体に対して軸部の回転軸線回りに上下方向に回動自在に配設されている。
【先行技術文献】
【特許文献】
【０００３】
【特許文献１】特許第５１４５１１１号公報
【発明の概要】
【発明が解決しようとする課題】
【０００４】
しかしながら、上記従来の振り出しキャップにおいては、開閉蓋の後半部分と凹欠き部の底壁部との間の上下方向の隙間に指を挿入し、開閉蓋の後半部分をキャップ本体に対して引き上げることで、開閉蓋の軸部がキャップ本体の軸受凹部から外され、開閉蓋がキャップ本体から外れることがあった。
【０００５】
本発明は、このような事情に鑑みてなされたものであって、その目的は、開閉蓋がキャップ本体から容易に外れるのを抑制することができる振り出しキャップを提供することを目的としている。
【課題を解決するための手段】
【０００６】
上記の課題を解決するために、本発明に係る振り出しキャップは、内容物が収容される容器本体の口部に装着されるとともに、前記内容物を振り出すための振り出し口が形成されたキャップ本体と、前記振り出し口を開閉させる開閉蓋と、が備えられ、前記キャップ本体の頂壁部において、前半部分に前記振り出し口が形成されるとともに、後半部分に前壁部、底壁部および左右一対の側壁部により画成され後方に向けて開放された凹欠き部が形成され、この凹欠き部の両側端部に、前記前壁部と、前記側壁部と、前記底壁部に立設され、これらの前記前壁部および前記側壁部に対向する対向壁部と、により画成された軸受凹部が配設され、前記開閉蓋において前記凹欠き部を覆う後半部分の両側端部に、前記軸受凹部内に嵌入される軸部が設けられることにより、前記開閉蓋が、前記キャップ本体に対して前記軸部の回転軸線回りに上下方向に回動自在に配設された振り出しキャップであって、前記キャップ本体の前壁部に、前方に向けて窪む係止凹部が形成され、前記開閉蓋の後半部分に、下方に向けて突出し、前記係止凹部内に配置された被係止部を有する係止突部が形成され、前記被係止部は、前記軸部の回転軸線に対して前方および上方の双方向に離間していることを特徴とする。
【０００７】
本発明によれば、キャップ本体の前壁部に、前方に向けて窪む係止凹部が形成され、開閉蓋の後半部分に、下方に向けて突出し、係止凹部内に配置された被係止部を有する係止突部が形成されているので、開閉蓋の後半部分を引き上げた際には、被係止部が係止凹部内の内面に係合することで、開閉蓋がキャップ本体から外れることが抑制される。一方、開閉蓋の後半部分を押下した際には、被係止部が、前記軸部の回転軸線に対して前方および上方の双方向に離間しているため、被係止部が前壁部から斜め上後方に離れ、係止凹部から離脱することとなり、円滑に開閉蓋を開けることができる。
【０００８】
また、前記凹欠き部の底壁部の後端部には、上方に向けて突出する下突部が形成され、前記開閉蓋の後半部分の後端部には、下方に向けて突出する上突部が形成されていてもよい。
この場合には、振り出しキャップにおける開閉蓋の後半部分と、凹欠き部の底壁部と、の間の上下方向の隙間が狭められ、この隙間に指を挿入しにくくすることが可能になり、開閉蓋の後半部分をキャップ本体に対して引き上げにくくすることができる。
【０００９】
また、この振り出しキャップの上下方向に沿う縦断面視において、前記回転軸線から、前記前壁部における前記係止凹部の開口周縁部のうちの上端部までの距離が、前記回転軸線から、前記開閉蓋の係止突部のうち、前記係止凹部内に位置し、かつ前記回転中心と最も離れた箇所までの距離よりも長くてもよい。
【００１０】
この場合には、開閉蓋がキャップ本体に対して軸部の回転軸線回りに上下方向に回動する際に、係止突部が前壁部における係止凹部の開口周縁部に引っ掛かるのを確実に防ぐことができる。
【発明の効果】
【００１１】
本発明によれば、開閉蓋がキャップ本体から容易に外れるのを抑制することができる。
【図面の簡単な説明】
【００１２】
【図１】本発明に係る振り出しキャップの一実施形態を示す縦断面図である。
【図２】図１に示す振り出しキャップにおけるキャップ本体の斜視図である。
【図３】図２に示すキャップ本体の上面図である。
【図４】図１に示す振り出しキャップにおける開閉蓋の下面図である。
【図５】図１におけるＤ部の部分拡大図である。
【図６】図１に示す振り出しキャップの開閉蓋を開いた状態におけるＤ部の部分拡大図である。
【発明を実施するための形態】
【００１３】
以下、図面を参照し、この発明の実施の形態について説明する。本実施形態に係る振り出しキャップ１０は、例えば粉状あるいは顆粒状の内容物が収容される容器本体の口部に装着されるとともに、内容物を振り出すための振り出し口１１が形成されたキャップ本体１２と、振り出し口１１を開閉させる開閉蓋３０と、が備えられている。
キャップ本体１２は、図１および図２に示すように、有頂円筒状に形成され、その頂壁部１２ａにおいて、前半部分に振り出し口１１が形成されるとともに、後半部分に前壁部１７、底壁部１６および左右一対の側壁部１８により画成され後方に向けて開放された凹欠き部１５が形成されている。なお図示の例では、振り出し口１１は左右方向Ａに間隔をあけて二つ形成されている。
【００１４】
以下、キャップ本体１２がその上面視で呈する円形状の中心を通りかつ頂壁部１２ａに直交するキャップ軸Ｏ１に沿って、頂壁部１２ａ側を上側、周壁部１２ｂの開放端側を下側といい、キャップ軸Ｏ１に沿う方向を上下方向という。また、上下方向から見た平面視において、キャップ軸Ｏ１と直交する方向を径方向という。
【００１５】
凹欠き部１５において底壁部１６と前壁部１７との接続部分には、左右方向Ａに長い直方体状に形成された段部（対向壁部）１９が設けられている。
また、凹欠き部１５の底壁部１６には、段部１９の後面における左右方向Ａの両端から後方に向けて延びる一対の補助壁部（対向壁部）２０が立設されている。
そして、図３に示されるように、段部１９の左右方向Ａにおける両端面１９ａおよび補助壁部２０と、左右一対の側壁部１８と、の間には、それぞれ隙間が設けられている。
【００１６】
さらに、凹欠き部１５の前壁部１７において、左右一対の側壁部１８と、段部１９の両端面１９ａと、の間に位置する各部分には、凹欠き部１５の底壁部１６から上方に向けて延びる前側軸受壁部２１が突設されている。段部１９の両端面１９ａと、前側軸受壁部２１の左右方向Ａの内端部と、の間には、隙間が設けられている。
また、左右一対の側壁部１８それぞれにおいて、補助壁部２０の後端部に左右方向Ａで対向する位置に、凹欠き部１５の底壁部１６から上方に向けて延在し、前側軸受壁部２１に前後方向Ｂで対向する後側軸受壁部（対向壁部）２２が突設されている。補助壁部２０の後端部と、後側軸受壁部２２の左右方向Ａの内端部と、の間には、隙間が設けられている。
【００１７】
以上より、凹欠き部１５の両側端部に、前側軸受壁部（前壁部）２１、側壁部１８、後側軸受壁部２２、段部１９の両端面１９ａおよび補助壁部２０により画成された軸受凹部２３が配設されている。
【００１８】
なお、図３に示されるように、前側軸受壁部２１および後側軸受壁部２２それぞれにおいて、互いに対向する対向面２１ｂ、２２ｂにおける上下方向の中間部分には、上下方向に沿う凹曲面状の窪み部２１ａ、２２ａが形成されている。また、各対向面２１ｂ、２２ｂは、これらの両軸受壁部２１、２２の前後方向Ｂの大きさが左右方向Ａの外側から内側に向かうに従い漸次小さくなるように傾斜している。
【００１９】
また、凹欠き部１５の底壁部１６において、軸受凹部２３の内側に位置する部分には、開閉蓋３０の後述する軸部３１を下側から支持する支持突部２５が突設されている。なお、支持突部２５の上面は、この支持突部２５の上下方向の大きさが左右方向Ａの外側から内側に向かうに従い漸次小さくなるように傾斜している。
また、支持突部２５の左右方向Ａの内端部と、段部１９の両端面１９ａと、の間には、隙間が設けられている。さらにまた、支持突部２５の後端面と、後側軸受壁部２２の対向面２２ｂと、の間には、隙間が設けられている。
【００２０】
開閉蓋３０は、図１および図４に示されるように、上面視前後方向Ｂに長い長方形状に形成された蓋板３２と、この蓋板３２においてキャップ本体１２の凹欠き部１５を覆う後半部分の下面に突設された取り付け片３３と、この取り付け片３３の両側端部に設けられ軸受凹部２３内に嵌入される軸部３１と、を備えている。
【００２１】
図示の例では、蓋板３２の後半部分の上面に、下方に窪む押下面３６が形成されている。蓋板３２においてキャップ本体１２の振り出し口１１を覆う前半部分の下面には、栓片３４が二つ突設されており、これらの栓片３４が振り出し口１１内に各別に離脱可能に嵌合されている。
取り付け片３３は、蓋板３２の後半部分において前後方向Ｂの中間に位置する部分に設けられている。また、取り付け片３３は、左右方向Ａに長く、かつ表裏面が前後方向Ｂを向く長方形状の板状体となっており、その左右方向Ａにおける両端部に、後方に向けて突出する突出し部３３ａが各別に形成されている。
【００２２】
軸部３１は、この取り付け片３３の左右方向Ａにおける両端面の下端に連結されて、取り付け片３３の下端から下方に膨出している。また、軸部３１は、リング状に形成されるとともに、その回転軸線Ｏ２が左右方向Ａに沿って延びるように配設されている。さらに軸部３１には、斜め下後方に向けて開口したＣ字状に形成されている。また、この軸部３１の両周端部のうち下側に位置する下側周端部には、下方に向けて突出する軸突部３１ａが形成されている。さらに、軸部３１の外周面は、左右方向Ａの内側から外側に向かうに従い漸次、この軸部３１が縮径するように傾斜している。
【００２３】
以上の構成において、開閉蓋３０は、軸部３１が、その径方向外側から、前側軸受壁部２１および後側軸受壁部２２の各窪み部２１ａ、２２ａと、支持突部２５の上面と、により、上下方向および前後方向Ｂの各移動が規制された状態で、その回転軸線Ｏ２回りに上下方向に回動自在に支持されて、キャップ本体１２に装着されている。開閉蓋３０及びキャップ本体１２それぞれの左右方向Ａの中央部同士は互いに一致している。
【００２４】
そして、本実施形態では、図１および図３に示すように、キャップ本体１２の前壁部１７に、前方に向けて窪む係止凹部１７ａが形成されている。図示の例では、係止凹部１７ａは、前壁部１７において、段部１９よりも上方に位置する部分のうち、上端部を除く上下方向の全域にわたって形成されている。
係止凹部１７ａは、後方から見て一対の辺が左右方向Ａに延び、残りの一対の辺が上下方向に延びる矩形状に形成されている。係止凹部１７ａは、上下方向の外側から内側に向かうに従い漸次、前方に向けた窪み量が大きくなる突の曲面状に形成されている。
係止凹部１７ａは、前壁部１７に左右方向Ａに間隔をあけて複数形成されている。図示の例では、係止凹部１７ａは、前壁部１７における左右方向Ａの中央部から同等の間隔をあけて一つずつ配置されている。なお、係止凹部１７ａは、このような態様に限られず、一つ以上形成されていればよい。
【００２５】
また、開閉蓋３０の後半部分に、下方に向けて突出し、係止凹部１７ａ内に配置された被係止部３５ａを有する係止突部３５が形成されている。図示の例では、係止突部３５は、蓋板３２の後半部分の下面において、取り付け片３３の前方に位置する部分に形成され、下方に向かうに従い漸次、前方に向かって延びている。係止突部３５は、開閉蓋３０に左右方向Ａに間隔をあけて複数形成されている。図示の例では係止突部３５は、開閉蓋３０における左右方向Ａの中央部から同等の間隔をあけて一つずつ配置されている。なお、係止突部３５は、このような態様に限られず、一つ以上形成されていればよい。
被係止部３５ａは、係止突部３５の前面に形成され、前方に向けて突の曲面状に形成されている。被係止部３５ａの上下方向に沿う曲率半径は、係止凹部１７ａの上下方向に沿う曲率半径より小さくなっている。被係止部３５ａは、係止突部３５の下端部に形成されている。また、被係止部３５ａは、軸部３１の回転軸線Ｏ２に対して前方および上方の双方向に離間している。
【００２６】
開閉蓋３０の後半部分の後端部には、下方に向けて突出する上突部３７が形成されている。上突部３７は、押下面３６より後方に位置し、開閉蓋３０の後端部における全周にわたって連続して延びている。また、図５に示すように、上突部３７の外周面は、下方に向かうに従い漸次、前方に向かって延びている。
【００２７】
また、凹欠き部１５の底壁部１６における後端部には、上方に向けて突出する下突部１６ａが形成されている。下突部１６ａは、底壁部１６の後端部における全周にわたって連続して延びている。そして、上突部３７は、下突部１６ａよりも径方向の内側に位置し、凹欠き部１５の底壁部１６の上面と上下方向で対向している。
【００２８】
図１および図５に示すように、本実施形態では、係止凹部１７ａの内面と被係止部３５ａとが近接している。なお、係止凹部１７ａの内面と被係止部３５ａとは当接していてもよい。
さらに本実施形態では、図５に示すように、この振り出しキャップ１０の上下方向に沿う縦断面視において、回転軸線Ｏ２から、前壁部１７における係止凹部１７ａの開口周縁部のうちの上端部１７ｂまでの距離が、回転軸線Ｏ２から、開閉蓋３０の係止突部３５のうち、係止凹部１７ａ内に位置し、かつ回転軸線Ｏ２と最も離れた箇所３５ｂまでの距離よりも長くなっている。図示の例では、被係止部３５ａの前端部が、前記箇所３５ｂとなっている。
【００２９】
次に、本実施形態に係る振り出しキャップ１０の動作について説明する。まず、蓋板３２の押下面３６を押下すると、開閉蓋３０が、軸部３１の回転軸線Ｏ２を中心として、前端部が上方へ移動し、かつ後端部が下方へ移動するように回動する。
これに伴い、軸突部３１ａが支持突部２５の上面によって軸部３１の径方向内方に向けて押し込まれ、軸部３１も径方向内方に圧縮変形させられる。その後、軸突部３１ａが、支持突部２５の前端部に形成された図示しない凹部に到達したときに、この凹部内に進入する。
【００３０】
これにより、軸突部３１ａの前述した押し込みが解除されて、軸部３１が復元変形することで、キャップ本体１２の前半部分に形成された振り出し口１１が外部に開口した状態で、蓋板３２が保持された状態となる。この状態で、容器本体を前方に向けて振ることで、内容物を振り出し口１１から取り出すことができる。
この状態において、図５に示すように、蓋板３２の後端部に形成された上突部３７は、キャップ本体１２の凹欠き部１５内に進入して、キャップ本体１２の下突部１６ａより径方向の内側に位置し、底壁部１６と当接している。またこの際、図６に示すように、蓋板３２の取り付け片３３に形成された突出し部３３ａは、底壁部１６に立設された補助壁部２０と前後方向Ｂに近接した状態となっている。
【００３１】
また、蓋板３２に形成された係止突部３５の被係止部３５ａは、軸部３１の回転軸線Ｏ２に対して前方および上方の双方向に離間しているため、蓋板３２が軸部３１の回転軸線Ｏ２を中心として、前端部が上方へ移動し、かつ後端部が下方へ移動するように回動した際に、被係止部３５ａは、斜め上後方に向けて移動し、係止凹部１７ａから離間する。
【００３２】
以上説明したように、本実施形態に係る振り出しキャップ１０によれば、開閉蓋３０の後半部分の押下面３６を押下した際には、被係止部３５ａが係止凹部１７ａから離れることで、係止突部３５が係止凹部１７ａに係合することはなく、円滑に開閉蓋３０を開けることができる。
一方、開閉蓋３０が閉じている状態において、開閉蓋３０の後半部分と、凹欠き部１５の底壁部１６と、の間の上下方向の隙間に指を挿入し、開閉蓋３０の後半部分をキャップ本体１２に対して引き上げた際には、軸部３１が軸受凹部２３から上方に移動しようとしても、被係止部３５ａが、係止凹部１７ａの内面に接触し、係止突部３５が係止凹部１７ａに係合する。このため、軸部３１が軸受凹部２３から上方に外れず、開閉蓋３０とキャップ本体１２とが装着された状態のまま保持され、開閉蓋３０がキャップ本体１２から容易に外れるのを抑制することができる。
【００３３】
また、凹欠き部１５の底壁部１６の後端部に、下突部が形成され、開閉蓋３０の後半部分の後端部に、上突部が形成されているため、開閉蓋３０の後半部分と、凹欠き部１５の底壁部１６と、の間の上下方向の隙間が狭められ、この隙間に指を挿入しにくくなっており、開閉蓋３０の後半部分をキャップ本体１２に対して引き上げにくくなっている。
また、この振り出しキャップ１０の上下方向に沿う縦断面視において、回転軸線Ｏ２から、前壁部１７における係止凹部１７ａの開口周縁部のうちの上端部１７ｂまでの距離が、回転軸線Ｏ２から、開閉蓋３０の係止突部３５のうち、係止凹部１７ａ内に位置し、かつ回転中心Ｏ２と最も離れた箇所３５ｂまでの距離よりも長いため、開閉蓋３０がキャップ本体１２に対して軸部３１の回転軸線Ｏ２回りに上下方向に回動する際に、係止突部３５が前壁部１７における係止凹部１７ａの開口周縁部に引っ掛かるのを確実に防ぐことができる。
【００３４】
なお、本発明の技術的範囲は前記実施の形態に限定されるものではなく、本発明の趣旨を逸脱しない範囲において種々の変更を加えることが可能である。
【００３５】
例えば、前記実施形態では、開閉蓋３０の後端部に上突部３７が形成され、凹欠き部１５の底壁部１６の後端部に下突部１６ａが形成されている構成を示したが、本発明はこのような態様に限られない。上突部及び下突部のうち、いずれか一方を設けることで、開閉蓋と凹欠き部の底壁部との間の上下方向の隙間を狭める構成であってもよいし、上突部及び下突部がともに形成されていなくてもよい。
【００３６】
また、前記実施形態では、キャップ本体１２に二つの振り出し口１１を形成し、開閉蓋３０に二つの栓片３４を設けた構成を示したが、本発明はこのような態様に限られず、これらの振り出し口および栓片は一つずつであってもよいし、三つ以上ずつであってもよい。
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３７】
１０  振り出しキャップ
１１  振り出し口
１２  キャップ本体
１２ａ  頂壁部
１５  凹欠き部
１６  底壁部
１６ａ  下突部
１７  前壁部
１７ａ  係止凹部
１８  側壁部
１９  段部（対向壁部）
２０  補助壁部（対向壁部）
２１  前側軸受壁部（前壁部）
２２  後側軸受壁部（対向壁部）
２３  軸受凹部
３０  開閉蓋
３１  軸部
３５  係止突部
３５ａ  被係止部
３７  上突部
【図１】
0006531048.tif 000002
【図２】
0006531048.tif 000003
【図３】
0006531048.tif 000004
【図４】
0006531048.tif 000005
【図５】
0006531048.tif 000006
【図６】
0006531048.tif 000007